(57)【特許請求の範囲】
【請求項１】
複数の早送り再生及び巻き戻し再生速度を有する磁気記録再生装置であって、キャプスタンを回転駆動するキャプスタンモータと、前記キャプスタンモータの回転数を検出するＦＧヘッドと、前記キャプスタンモータを動作させる電源電圧を出力する駆動電源と、前記駆動電源の電圧値を検出する電圧検出手段と、前記電圧検出手段により検出した電圧値に応じた速度に設定する速度設定手段と、前記ＦＧヘッドにより発生した信号と前記速度設定手段により設定された速度を一定に保つ速度制御手段と、前記磁気テープに記録された基準信号により位相制御を行う位相制御手段とを備え、
前記速度設定手段は、前記電圧検出手段で検出した電圧値に基づき、一定速度でキャプスタンモータを回転駆動するよう速度を設定することを特徴とする磁気記録再生装置。
【発明の詳細な説明】
【０００１】
【産業上の利用分野】
本発明は、早送り再生、巻き戻し再生を備えた磁気記録再生装置に関するものである。
【０００２】
【従来の技術】
図３は従来のテープ走行系の構成を示すブロック図である。図３において、１は演算結果をアナログに変換するＤ／Ａ変換器、２はキャプスタンモータ３を駆動するキャプスタンモータ駆動回路、３はキャプスタン（図示せず）を回転駆動するキャプスタンモータ、４はキャプスタンモータ３のＦＧ信号を読み取るＦＧヘッド、５はコントロール信号（以下、ＣＴＬ信号と記す）を得るためのＣＴＬヘッド、６はキャプスタンモータ３の回転速度を制御する速度制御回路、７はキャプスタンモータ３の回転位相を制御する位相制御回路、８はキャプスタンモータ３の回転速度を設定する速度設定回路、９はキャプスタンモータ３の電源であるモータ駆動電源、１０は位相制御回路７の制御が不可能になったエラー状態を検出するエラー検出回路、１１は速度制御回路６と位相制御回路７の情報を加算する加算回路である。
【０００３】
以上のように構成された従来の磁気記録再生装置におけるテープ走行制御系について、以下その動作について説明する。
【０００４】
通常再生時は、モータ駆動電源９から電源電圧を駆動回路２に供給することにより、キャプスタンモータ３を回転駆動し、ＦＧヘッド４によりＦＧ信号を読み取る。ＦＧヘッド４により得られたＦＧ信号により、速度制御回路６で速度制御を行い、またＣＴＬヘッド５により磁気テープに記録されたＣＴＬ信号を再生することにより、位相制御回路７で位相制御を行う。それぞれの結果を加算回路１１で加算演算し、Ｄ／Ａ変換器１でアナログ信号に変換してキャプスタンモータ駆動回路２に伝達することでループを形成し、キャプスタンモータ３の回転を安定させることにより、安定した再生画を得ている。
【０００５】
また、早送り再生及び巻き戻し再生時は、速度設定回路８により通常再生のｎ倍の速度設定が複数されており、キー操作及びリモコン操作により、任意に選択できる。この時、最高速度を選択した場合において低温環境時等により最大負荷が予想以上に大きくなった場合や、モータ駆動電源９の電源電圧が変動して下がった場合に、エラー検出回路１０が位相系のエラーを検出し、速度設定回路８に対して速度を一段階下げるよう制御し、安定した再生画を得る。
【０００６】
この時、再度エラー検出回路１０が働くとさらに速度をもう一段下げることにより、常に負荷に応じて安定した早送り、巻き戻し再生画を得ることができる。
【０００７】
【発明が解決しようとする課題】
しかしながら上記の従来の構成では、早送り再生及び巻き戻し再生時の設定速度をエラー検出後に行うため、エラーを検出して速度を再設定するまでの間、再生画に乱れが生じるという問題を有していた。
【０００８】
本発明は上記従来の問題点を解決するもので、モータ駆動電源の電圧検出手段を設け、モータ駆動電圧が印加された時点で、そのモータ駆動電圧で安定した早送り再生画及び巻き戻し再生画を得られる最高速度に設定できる磁気記録再生装置を提供することを目的とする。
【０００９】
【課題を解決するための手段】
この目的を達成するために本発明は、複数の早送り再生及び巻き戻し再生速度を有する磁気記録再生装置であって、キャプスタンを回転駆動するキャプスタンモータと、前記キャプスタンモータの回転数を検出するＦＧヘッドと、前記キャプスタンモータを動作させる電源電圧を出力する駆動電源と、前記駆動電源の電圧値を検出する電圧検出手段と、前記電圧検出手段により検出した電圧値に応じた速度に設定する速度設定手段と、前記ＦＧヘッドにより発生した信号と前記速度設定手段により設定された速度を一定に保つ速度制御手段と、前記磁気テープに記録された基準信号により位相制御を行う位相制御手段とを備え、前記速度設定手段は、前記電圧検出手段で検出した電圧値に基づき、一定速度でキャプスタンモータを回転駆動するよう速度を設定するものである。
【００１０】
【作用】
この構成によって、モータ駆動電圧が印加された時点で、そのモータ駆動電圧で駆動しうる最高速度で安定した早送り再生画、巻き戻し再生画を得ることができ、またモータ駆動電圧が変動した場合にも、そのモータ駆動電圧に応じた最高速度で安定した早送り再生画、巻き戻し再生画を得ることができる。
【００１１】
【実施例】
以下本発明の一実施例について、図面を参照しながら説明する。
【００１２】
図１は本実施例の磁気記録再生装置の構成を示すブロック図である。図１において、１は演算結果をアナログに変換するＤ／Ａ変換器、２はキャプスタンモータ３を駆動するキャプスタンモータ駆動回路、３はキャプスタン（図示せず）を回転駆動するキャプスタンモータ、４はキャプスタンモータ３のＦＧ信号を読み取るＦＧヘッド、５はコントロール信号（以下、ＣＴＬ信号と記す）を得るためのＣＴＬヘッド、６はキャプスタンモータ３の回転速度を制御する速度制御回路、７はキャプスタンモータ３の回転位相を制御する位相制御回路、８はキャプスタンモータ３の回転速度を設定する速度設定部、９はキャプスタンモータ３の電源であるモータ駆動電源、１１は速度制御回路６と位相制御回路７の情報を加算する加算回路、１２はモータ駆動電源９の電源電圧を検出する電圧検出回路である。
【００１３】
以上のように構成された本実施例の磁気記録再生装置について、以下その動作を説明する。
【００１４】
通常再生時は、モータ駆動電源９の電源電圧を駆動回路２に供給することによりキャプスタンモータ３を回転駆動し、ＦＧヘッド４により得られたＦＧ信号により速度制御回路６で速度制御を行う。また、ＣＴＬヘッド５により磁気テープに記録されたＣＴＬ信号を再生することにより、位相制御回路７で位相制御を行う。それぞれの結果を加算回路１１で加算演算し、Ｄ／Ａ変換器１でアナログ信号に変換して、キャプスタンモータ駆動回路２に伝達することでループを形成し、安定した再生画を得ている。
【００１５】
また、早送り再生及び巻き戻し再生時は、速度設定部８により通常再生のｎ倍の速度設定が複数されており、キー操作及びリモコン操作により任意に速度設定が選択できる。
【００１６】
この時、モータ駆動電圧が印加された時点で、図２のように電圧検出回路１１がモータ駆動電圧Ａを検出した場合、そのモータ駆動電圧と最大負荷により速度ａに設定し、さらにモータ電源電圧Ｂに変動した場合には速度ｂに設定し、常にその電圧で安定した早送り再生画、巻き戻し再生画が得られる最高速度に設定することができる。
【００１７】
なお、モータ駆動電圧が、環境条件等により変動した場合にも電圧検出回路１１において、その電圧で安定した再生画が得られる最高速度に設定することも可能にするものである。
【００１８】
【発明の効果】
以上の説明で明らかなように、モータ駆動電源の電圧で安定した早送り再生画及び巻き戻し再生画が得られる最高速度に設定でき、またモータ駆動電源が変動しても常に設定速度をモニター駆動電源の電圧値に応じて設定し、安定した早送り再生画及び巻き戻し再生画を得ることのできる優れた磁気記録再生装置である。
【図面の簡単な説明】
【図１】本発明の一実施例における磁気記録再生装置のテープ走行系の構成を示すブロック図
【図２】同実施例における早送り再生及び巻き戻し再生時の最高速度を決定する要因を説明するための特性図
【図３】従来の磁気記録再生装置のテープ走行系の構成図
【符号の説明】
２  キャプスタンモータ駆動回路
３  キャプスタンモータ
４  ＦＧヘッド
５  ＣＴＬヘッド
６  速度制御回路
７  位相制御回路
８  速度設定部
９  モータ駆動電源
１１  加算回路
１２  電圧検出回路
【図１】
0003546542.tif 000002
【図２】
0003546542.tif 000003
【図３】
0003546542.tif 000004